(57)【要約】  【課題】撓み抑制リブの強度を高め、ランスのへたりを防止し、また、補強連結枠によって水の浸入を防止することを課題としている  【解決手段】ハウジングの一端側の端子挿入口から端子収容空間に一対の電線端末の端子が挿入される一方、他端側のヒューズ挿入口からヒューズ収容空間にヒューズが装着され、該ヒューズの入力端子と出力端子がそれぞれ前記電線端末の端子と嵌合接続されるヒューズ接続箱であって、前記端子挿入口側から端子収容空間に一対の仕切壁を空隙をあけて設け、これら仕切壁と前記ハウジングとに囲まれた一対の端子収容室を設け、この一対の仕切壁の先端に前記端子の係止部と係止するランスを設けていると共に、これら一対の仕切壁を連結する補強連結枠を設け、該補強連結枠の上面よりランス撓み抑制リブを突設している。  【選択図】  図１
2007066846.tif 000002
【特許請求の範囲】
【請求項１】
ハウジングの一端側の端子挿入口から端子収容空間に一対の電線端末の端子が挿入される一方、他端側のヒューズ挿入口からヒューズ収容空間にヒューズが装着され、該ヒューズの入力端子と出力端子がそれぞれ前記電線端末の端子と嵌合接続されるヒューズ接続箱であって、
前記端子挿入口側から端子収容空間に一対の仕切壁を空隙をあけて設け、これら仕切壁と前記ハウジングとに囲まれた一対の端子収容室を設け、この一対の仕切壁の先端に前記端子の係止部と係止するランスを設けていると共に、これら一対の仕切壁を連結する補強連結枠を設け、該補強連結枠の上面よりランス撓み抑制リブを突設していることを特徴とするヒューズ接続箱。
【請求項２】
前記対向する仕切壁間を連結する前記補強連結枠リブを防水壁と兼用させている請求項１に記載のヒューズ接続箱。
【請求項３】
前記補強連結枠は前記一対のランス部の根元位置近傍に設け、該補強連結枠の中央から山型状に前記撓み抑制リブを突出し、ランスとの間ランスの自由端側に向けて広がる空隙を設けている請求項１または請求項２に記載のヒューズ接続箱。
【請求項４】
前記補強連結枠は前記一対のランス部の根元位置より所要寸法をあけた位置に設け、該補強リブの中央から棒状の前記撓み抑制リブを突設し、該撓み抑制リブの先端を両側のランスと空隙をあけて位置させている請求項１または請求項２に記載のヒューズ接続箱。
【請求項５】
前記ヒューズ収容空間に収容するヒューズは、矩形状のヒューズ本体の左右両側の切欠に入力端子と出力端子とが平行に露出するヒューズとし、該ヒューズ収容空間の高さを前記ヒューズ本体を内嵌できる設定としている請求項１乃至請求項４のいずれか１項に記載のヒューズ接続箱。
【発明の詳細な説明】
【技術分野】
【０００１】
本発明は、ヒューズ接続箱に関し、詳しくは、一方側からヒューズが着脱自在に挿入されると共に他方側から自動車に配索される電線端末の端子が挿入係止され、該端子とヒューズの入出力端子とを接続させるヒューズ接続箱であって、特に、ヒューズとして樹脂製のヒューズ本体の両側切欠に入出力端子が露出する略四角形状の高さの低いヒューズを収容する場合に好適に用いられるものである。
【背景技術】
【０００２】
この種のヒューズ接続箱として、特開２００４−１５８２５６号公報（特許文献１）が提案されている。該ヒューズ接続箱は、図６および図７に示すように、ヒューズ接続箱１の一対の端子収容室２内に夫々一端開口から一対の電線ｗの端末に圧着接続された一対の雌端子３を挿入し、これら端子３に設けられた係止段部３ａに対して、収容室２内に突設した一対のランス４の自由端側に設けた係止部４ａを係止している。ヒューズ接続箱１の一対の端子収容室２の先端側に連通する空間はヒューズ収容室５とされ、ヒューズ６が着脱自在に挿入され、該ヒューズ６の両側の入力端子６ａと出力端子６ｂが前記一対の端子３と嵌合接続されている。
また、前記端子３をヒューズ接続箱１から取り外す際には、外部から抜き治具をランス４の自由端側から挿入し、係止部４ａを撓ませて係止段部３ａとの係止を解いている。其の際、ランス４が過度に撓むことを防止するため、一対のランス４の間に当接部材７を設置している。
【０００３】
【特許文献１】特開２００４−１５８２５６号公報
【発明の開示】
【発明が解決しようとする課題】
【０００４】
しかしながら、前記特許文献１の構成では、図７（Ｂ）に示されるように、当接部材７の左右両端が仕切壁８に固定される２点固定であるため、中央部分に力が加わると弓形に変形し、ランスの撓みが過大となると、ランスが破損しやすい問題がある。さらに、当接部材７は左右のランス４の間の下端開口の貫通部分に架け渡された構成とされており、下端開口より水が浸入しやすくなっている。そのため、浸水が生じるとヒューズ６および端子３に水が付着する恐れがあり防水性能の点でも問題がある。
【０００５】
本発明は、前記問題に鑑みてなされたものであり、電線端末の端子とランスとの係止解除の際に、ランスの過度の撓みを抑制する手段を改良してランスに破損を発生させないと共に、防水性能の向上を図ることを課題としている。
【課題を解決するための手段】
【０００６】
前記問題を解決するため、本発明は、ハウジングの一端側の端子挿入口から一対の電線端末の端子が端子収容空間に挿入される一方、他端側のヒューズ挿入口からヒューズ収容空間にヒューズが装着され、該ヒューズの入力端子と出力端子がそれぞれ前記電線端末の端子と嵌合接続されるヒューズ接続箱であって、
前記端子挿入口側から端子収容空間に一対の仕切壁を空隙をあけて設け、これら仕切壁と前記ハウジングとに囲まれた一対の端子収容室を設け、この一対の仕切壁の先端に前記端子の係止部と係止するランスを設けていると共に、これら一対の仕切壁を連結する補強連結枠を設け、該補強連結枠の上面よりランス撓み抑制リブを突設していることを特徴とするヒューズ接続箱を提供している。
【０００７】
前記構成によれば、端子とランスとの係止を解除するため抜きジグを挿入し、ランスを撓わせた際、ランスを仕切壁の先端側に設けると共に対向する仕切壁同士を補強連結枠でＨ形状に連結しているため、ランス自体は過度に撓むことが抑制できる。さらに、該補強連結枠から撓み抑制リブを突設しているため、ランスが撓んでも撓み抑制リブと接触して過度に撓むことはない。かつ、この撓み抑制リブは補強連結枠上に強固に突設しているため、撓んでくるランスにより変形破損することもない。また、仕切壁にランスを一体成形したことにより、ヒューズ接続箱の小型化にも寄与する。
【０００８】
前記対向する仕切壁間を連結する前記補強連結枠リブを防水壁と兼用させている。
該構成とすると、仕切壁間の下端開口より水が浸入しても補強連結枠で遮断され、ヒューズおよび端子に水が付着するのを防止でき、防水性能を高めることができる。
【０００９】
また、前記補強連結枠は前記一対のランス部の根元位置より所要寸法をあけた位置に設け、該補強連結枠の中央から棒状の前記撓み抑制リブを突設し、該撓み抑制リブの先端を両側のランスと空隙をあけて位置させている。
【００１０】
前記構成によれば、抜きジグにより端子とランスとの係合を解除する際に、補強連結枠をランスの根元から所要寸法あけていることで、ランスが原状位置に復帰出来る程度に撓むことができると共に、補強連結枠の設置位置まで撓み変形が影響しないようにしている。その結果、補強連結枠と仕切壁との境界に発生する応力を緩和し、仕切壁の先端側のランスの破断発生を確実に防止している。
また、前記撓み抑制リブを棒状とすることで、ランスと撓み抑制リブとの間に所要の空間をあけ、該空間をランスの撓みが許容できる範囲としている。
【００１１】
前記補強連結枠は前記一対のランス部の根元位置近傍に設け、該補強連結枠の中央から山型状に前記撓み抑制リブを突出し、ランスとの間ランスの自由端側に向けて広がる空隙を設けている。
前記構成とすると、撓み抑制リブがランスと接触したときに、撓み抑制リブが山形になっていることで、撓み抑制リブにランスは面接触して保持され、応力が一点に集中せず、ランスが破損する恐れを低くすることができる。
【００１２】
なお、山型状の撓み抑制リブに変えて、補強連結枠の中央から棒状の撓み抑制リブを突設してもよい。
【００１３】
前記ヒューズ収容空間に収容するヒューズは、矩形状のヒューズ本体の左右両側の切欠に入力端子と出力端子とが平行に露出するヒューズとし、該ヒューズ収容空間の高さを前記ヒューズ本体を内嵌できる設定としている
前記したヒューズは、ヒューズ本体から入力端子と出力端子とを突出させていないため、ヒューズ自体の高さを低くでき、その結果、ヒューズ接続箱自体も小型化および軽量化することができる。
【発明の効果】
【００１４】
前述したように、本発明によれば、電線端末に接続された端子をヒューズ接続箱から取り出す際に、抜き治具を挿入してランスを撓ませて端子との係止を解いているが、ランスは補強連結枠で互いに連結した仕切壁の先端側に形成しているため、過度の撓みを抑制することができ、ランスの破損を防止できる。さらに、前記補強連結枠から撓んでくるランスと当接させる撓み抑制リブを設けていることと合わせて、ランスの過度の撓み発生を防止できる。
【００１５】
また、下端開口の仕切壁の間を補強連結枠で連結して閉鎖することにより、下端開口からの浸水を補強連結枠で遮断でき、ヒューズおよび端子に水が付着して、腐食が発生するのを防止できる。
【発明を実施するための最良の形態】
【００１６】
本発明の実施形態を図面を参照して説明する。
図１乃至図４は本発明の第１実施形態を示す。
図１に示すように、ヒューズ接続箱１０は１つのヒューズ３０を一対の電線Ｗ（Ｗ１、Ｗ２）と接続させるもので、四角筒形状のハウジング１１の一端開口を電線端末に圧着された端子金具(以下、端子と称す)の端子挿入口１１ａ、他端開口をヒューズ挿入口１１ｂとしている。
【００１７】
ハウジング１１内は端子挿入口１１ａ側の端子収容空間を一対の仕切壁１３、１４で仕切って一対の端子収容室２０、２１を設けていると共に、ヒューズ挿入口１１ｂ側は一対の端子収容室２０、２１に連通する１つのヒューズ収容空間２２としている。
【００１８】
図２に示すように、前記仕切壁１３と１４の略中央位置より、ヒューズ挿入口１１ｂへ向けて切り込まれた２本のスリット２３により弾性力を持つランス１５、１６をそれぞれ形成し、これらランス１５、１６にはそれぞれ端子収容室２０、２１側に突出する係止爪１５ａ、１６ａを設けている。これらランス１５と１６の根元位置（スリット２３の根元位置）の近傍で仕切壁１３と１４とを補強連結枠１７でＨ形状に連結している。係止爪１５a、１６ａを設けた側は自由端とし、スリット２３の根元側は固定端とし、ランス１５、１６は撓み可能である。
仕切壁１３と１４との間に端子挿入口側の開口に連通した貫通空間１９となっており、該貫通空間１９を前記補強連結枠１７で遮蔽して、該補強連結枠１７を防水壁としても機能させている。
【００１９】
前記補強連結枠１７の中央部には断面形状を山型状とした撓み抑制リブ１８を突設し、該該撓み抑制リブ１８の高さを両側のランス１５、１６の係止爪１５ａ、１６ａの位置までとし、かつ、両側のランス１５、１６と撓み抑制リブ１８の両側傾斜面１８ａ、１８ｂの間の空隙を該ランスの自由端に向けて広げている。
【００２０】
前記ハウジング１１の周壁と前記仕切壁１３、１４により囲繞される一対の端子収容室２０、２１には、端子挿入口１１ａ側からそれぞれ電線ｗ１、ｗ２の端末に圧着された雌端子２５Ａ、２５Ｂが挿入される。これら雌端子２５Ａ、２５Ｂに形成された係止部２５Ａ−１、２５Ｂ−１に前記ランス１５、１６の係止部１５ａ、１６ｂが係止して、端子２５Ａ、２５Ｂを端子収容室２０，２１内に係止保持している。
【００２１】
前記ランス１５、１６の先端側の前記ヒューズ収容空間２２は前記ヒューズ３０を着脱自在に挿入する大きさに設定している。該ヒューズ３０は特許文献１と同様なヒューズからなり、樹脂製のヒューズ本体３１の左右両側に切欠３１ａ、３１ｂから入力端子３２と出力端子３３とが平行に露出し、大略矩形状で高さの低いヒューズ（所謂、低背ヒューズ）である。該ヒューズ収容空間２２の上端内面にはヒューズ本体３１の上端面を係止する段部２２ａを設けている。
【００２２】
前記構成からなるヒューズ接続箱において、図３に示すように、端子収容室２０、２１に雌端子２５Ａ、２５Ｂに挿入し、ランス１５、１６と係止して保持させた状態で、ヒューズ収容空間２０内にヒューズ挿入口１１ｂからヒューズ３０を挿入すると、ヒューズ３０入力端子３２と出力端子３３とが電線端末の雌端子２５Ａ、２５Ｂと嵌合して電気接続がなされる。
【００２３】
一方、前記端子２５Ａ、２５Ｂをヒューズ接続箱から取り外す必要が発生した場合、まず、ヒューズ３０をヒューズ挿入口１１ｂから抜き出す。
ついで、図４に示すように、ヒューズ挿入口１１ｂから棒状の抜き治具５０を挿入して、端子２５Ａの係止部２５Ａ−１とランス１５との係止を解いて端子２５Ａを端子挿入口１１ａから抜き出す。同様に、端子２５Ｂの係止部２５Ｂ−１とランス１６との係止を抜き治具５０を挿入して解除し、端子２５Ｂを端子挿入口１１ａから抜き出す。
【００２４】
前記抜き治具５０を用いて端子係止部とランスの係止とを解除する際、ランス１５、１６を係止側と反対側に撓ませることとなる。其の際、撓んだランス１５が撓み抑制リブ１８の一方の傾斜面１８ａと接触すると、接触位置でランス１５の撓みが抑制され、ランス１５の過度の撓みを防止できる。
同様に、ランス１６が撓み抑制リブ１８の他方の傾斜面１８ｂと接触すると、ランス１６の撓みが抑制され、ランス１６の過度の撓みを防止できる。
【００２５】
其の際、撓み抑制リブ１８が山型として、両側傾斜面１８ａ、１８ｂに撓んだランス１５、１６を面接触させるため、一点に応力が集中せず、ランス１５、１６の損傷発生を防止することができる。
かつ、ランス１５、１６を上端に設けた仕切壁１３、１４がランスの根元部で補強連結枠１７で連結されているため、仕切壁１３、１４自体が撓むことが抑制され、端子２０Ａ、２０Ｂの抜き治具５０を用いた取り出し時にランス１５、１６および仕切壁１３、１４に損傷が発生することを防止できる。
【００２６】
また、本発明のヒューズ接続箱では仕切壁１３、１４の間の端部は開口となっているが、仕切壁１３と１４とを連結する補強連結枠１７を設けているため、防水壁となり、開口から浸入した水がヒューズ３０の端子と電線端末端子との接触部に浸入することを確実に防止できる。
さらにまた、電線端末に接続した端子と接続するヒューズを高さの低いヒューズとしていることで、ヒューズ接続箱１０自体も小型化できることにより、軽量化を図れると共にコストダウンにもつながる。
【００２７】
図５は第２実施形態を示し、ヒューズ３０’として第１実施形態とは相違するミニヒューズを取り付ける場合である。この場合は、仕切壁１３、１４の上端に設けるランス１５、１６は第１実施形態より端子挿入口１１ｂ側に位置し、このランス１５、１６の根元近傍の仕切壁１３と１４とを補強連結枠１７で連結している。この補強連結枠１７の中央より棒状の撓み抑制リブ１８’を突設し、両側のランス１５、１６との間に夫々空隙をあけている。
【００２８】
第２実施形態においても、第１実施形態と同様に、電線端末の端子２５Ａ、２５Ｂをランス１５、１６との係止を解いて取り出す時に、抜き治具５０を係止部に挿入してランス１５、１６を撓ませて係止を解除している。
其の際、ランス１５、１６が過度に撓むと棒状の撓み抑制リブ１８と当接してランス１５、１６が過度に撓んで折れたりすることを防止できる。
補強連結枠１７を防止壁として機能させ防水性能を高めている点は第１実施形態と同様である。
【図面の簡単な説明】
【００２９】
【図１】本発明の第１実施形態を示す断面図である。
【図２】図１の矢印方向からみたスリットの要部拡大断面図である。
【図３】第１実施形態のヒューズ接続箱にヒューズおよび電線端末端子を挿入して接続した状態を示す断面図である。
【図４】前記電線端末の端子をヒューズ接続箱のランスとの係止解除作用を示す断面図である。
【図５】第２実施形態の断面図である。
【図６】従来例のヒューズボックスの斜視図である。
【図７】（Ａ）は図６の従来例のヒューズボックスの断面図、（Ｂ）は底面図である。
【符号の説明】
【００３０】
１０  ヒューズ接続箱
１１  ハウジング
１１ａ  端子挿入口
１１ｂ  ヒューズ挿入口
１３、１４  仕切壁
１５、１６  ランス
１７  補強連結枠
１８  撓み抑制リブ
２０，２１  端子収容室
２２  ヒューズ収容室
２３  スリット
２５Ａ、２５Ｂ  端子
３０  ヒューズ
３１  ヒューズ本体
３２、３３  ヒューズの入出力端子
【図１】
2007066846.tif 000003
【図２】
2007066846.tif 000004
【図３】
2007066846.tif 000005
【図４】
2007066846.tif 000006
【図５】
2007066846.tif 000007
【図６】
2007066846.tif 000008
【図７】
2007066846.tif 000009